(57)【要約】  ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎ）を用いて通信するＷＭＴＳ（Ｗｉｒｅｌｅｓｓ  Ｍｅｄｉｃａｌ  Ｔｅｌｅｍｅｔｒｙ  Ｄｅｖｉｃｅ）のＰＭＩＤ（Ｐｏｒｔａｂｌｅ  Ｐａｒｔ  Ｉｄｅｎｔｉｔｙ）を生成する方法であって、（ａ）ＰＰ（Ｐｏｒｔａｂｌｅ  Ｐａｒｔ）又はＦＰ（Ｆｉｘｅｄ  Ｐａｒｔ）アプリケーションを有するＤＥＣＴスタックモジュール２００を提供するステップと、（ｂ）ＰＰの２０ビットを抽出し、前記ＤＥＣＴのメモリマップにＤＥＣＴ  ＰＭＩＤとして格納するステップと、（ｃ）ＰＰのイーサネット（登録商標）割り当てされたＭＡＣアドレスの下位２０ビットからＰＰのｉｄを計算し、ＤＥＣＴ  ＰＭＩＤの２０ビットが、イーサネット（登録商標）ＭＡＣアドレスの下位２０ビットと１：１にマップされるように、ＤＥＣＴスタックのメモリマップに同一のものを格納するステップとを有し、前記ＤＥＣＴスタックは、前記ＰＰと前記ＦＰとの間の接続を３２ビット数として表し、前記ＰＰは２０ビットを有し、前記ＦＰは１２ビットを有することを特徴とする方法。ＤＥＣＴスタック又はその外部のメモリマップは、マッピング関数の結果を格納する。
2007525124.tif 000002
【特許請求の範囲】
【請求項１】
ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎ）を用いて通信するＷＭＴＳ（Ｗｉｒｅｌｅｓｓ  Ｍｅｄｉｃａｌ  Ｔｅｌｅｍｅｔｒｙ  Ｄｅｖｉｃｅ）のＰＭＩＤ（Ｐｏｒｔａｂｌｅ  Ｐａｒｔ  Ｉｄｅｎｔｉｔｙ）を生成する方法であって、
（ａ）ＰＰ（Ｐｏｒｔａｂｌｅ  Ｐａｒｔ）又はＦＰ（Ｆｉｘｅｄ  Ｐａｒｔ）アプリケーションを有するＤＥＣＴスタックモジュールを提供するステップと、
（ｂ）ＰＰの２０ビットを抽出し、前記ＤＥＣＴのメモリマップにＤＥＣＴ  ＰＭＩＤとして格納するステップと、
（ｃ）ＰＰのイーサネット（登録商標）割り当てされたＭＡＣアドレスの下位２０ビットからＰＰのｉｄを計算し、ＤＥＣＴ  ＰＭＩＤの２０ビットが、イーサネット（登録商標）ＭＡＣアドレスの下位２０ビットと１：１にマップされるように、ＤＥＣＴスタックのメモリマップに同一のものを格納するステップと、
を有し、
前記ＤＥＣＴスタックは、前記ＰＰと前記ＦＰとの間の接続を３２ビット数として表し、前記ＰＰは２０ビットを有し、前記ＦＰは１２ビットを有することを特徴とする方法。
【請求項２】
請求項１記載の方法であって、
前記イーサネット（登録商標）割り当てされたＭＡＣアドレスは、トータル４８ビットを有することを特徴とする方法。
【請求項３】
請求項２記載の方法であって、
前記ＤＥＣＴスタックは、ＡＰ（Ａｃｃｅｓｓ  Ｐｏｉｎｔ）とＰＷＤ（Ｐａｔｉｅｎｔ−Ｗｅａｒａｂｌｅ  Ｄｅｖｉｃｅ）の１つ、又は他の携帯装置と通信することを特徴とする方法。
【請求項４】
請求項２記載の方法であって、
前記ＤＥＣＴスタックは、１以上のＰＰと通信するラジオモジュールを制御するスロットコントローラを有することを特徴とする方法。
【請求項５】
請求項１記載の方法であって、
ＦＰ  ｉｄは、少なくとも１つのＡＰがスタートアップし、ＡＰコントローラに登録されると選択されることを特徴とする方法。
【請求項６】
請求項１記載の方法であって、さらに、
（ｄ）前記スロットコントローラが、ＷＭＴＳ装置を有するＰＰと通信するための６４スロットを有するよう変更された拡張されたＤＥＣＴフレームを送受信するよう前記ラジオモジュールを制御するステップを有することを特徴とする方法。
【請求項７】
請求項６記載の方法であって、
前記６４スロットの拡張されたＤＥＣＴフレームの第１の３２スロット期間中、前記ＦＰは前記ラジオモジュールを介し送受信可能であり、前記拡張されたＤＥＣＴフレームの第２の３２スロット期間中、前記ＰＰは前記ラジオモジュールを介し送受信可能であることを特徴とする方法。
【請求項８】
ＷＭＴＳ（Ｗｉｒｅｌｅｓｓ  Ｍｅｄｉｃａｌ  Ｔｅｌｅｍｅｔｒｙ  Ｓｙｓｔｅｍ）装置と共に使用するよう改良されたＤＥＣＴスタックモジュールのためのマップであって、
前記ＤＥＣＴスタックモジュールは、ＰＰ（Ｐｏｒｔａｂｌｅ  Ｐａｒｔ）及びＦＰ（Ｆｉｘｅｄ  Ｐａｒｔ）ソフトウェアアプリケーションモジュールを有するＤＥＣＴスタックを有し、
前記ＤＥＣＴスタックは、前記ＰＰと前記ＦＰとの間の接続を３２ビット数として表し、
前記ＰＰは、２０ビットを有し、
前記ＦＰは、１２ビットを有し、
当該マップは、前記ＰＰの２０ビットがＤＥＣＴ  ＰＭＩＤとしてメモリマップに格納され、前記ＰＰのイーサネット（登録商標）割り当てされたＭＡＣアドレスの下位２０ビットが前記メモリに格納され、前記ＤＥＣＴ  ＰＭＩＤの２０ビットが、前記イーサネット（登録商標）ＭＡＣアドレスの下位２０ビットと１：１にマップされることを特徴とするマップ。
【請求項９】
請求項８記載のマップであって、
前記下位２０ビットが選択されるイーサネット（登録商標）ＭＡＣ割り当てされたアドレスは、トータル４８ビットを有することを特徴とするマップ。
【請求項１０】
６４スロットを有し、ＷＭＴＳ（Ｗｉｒｅｌｅｓｓ  Ｍｅｄｉｃａｌ  Ｔｅｌｅｍｅｔｒｙ  Ｓｙｓｔｅｍ）装置と共に使用するための拡張されたＤＥＣＴフレームであって、
送信された当該６４スロットの拡張されたＤＥＣＴフレームの第１の３２スロット期間中、ＦＰがラジオモジュールを介し送受信することが許可され、前記拡張されたＤＥＣＴフレームの第２の３２スロット期間中、ＰＰが前記ラジオモジュールを介し送受信することが許可されることを特徴とする拡張されたＤＥＣＴフレーム。
【発明の詳細な説明】
【技術分野】
【０００１】
本発明は、イーサネット（登録商標）ネットワーキングアドレスに関する。より詳細には、本発明は、ＷＭＴＳ又は他のイーサネット（登録商標）接続コードレスシステムにおけるＤＥＣＴ使用を可能にするため、ラジオ識別子（ＤＥＣＴ  ＩＤ）とイーサネット（登録商標）アドレスとの間の世代をマップすることに関する。
【背景技術】
【０００２】
欧州のイニシアチブとして起案されたＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎ）は、ＷＭＴＳ（Ｗｉｒｅｌｅｓｓ  Ｍｅｄｉｃａｌ  Ｔｅｌｅｍｅｔｒｙ  Ｓｙｓｔｅｍ）におけるＰＷＤ（Ｐａｔｉｅｎｔ−Ｗｅａｒａｂｌｅ  Ｄｅｖｉｃｅ）などの多数の異なるタイプのアプリケーションへの効率的な無線接続性を提供するため、世界中で普及してきた。無線通信では、異なるプロトコルにより動作可能であり、イーサネット（登録商標）ＬＡＮと通信可能な装置がある。このようなケースでは、ベースステーション又はアクセスポイント（ＡＰ）は、ＤＥＣＴからイーサネット（登録商標）など、１つのプロトコルから他のプロトコルに変換するのに知られてきた。特に、イーサネット（登録商標）ＭＡＣ（Ｍｅｄｉａ  Ａｃｃｅｓｓ  Ｃｏｎｔｒｏｌ）アドレスと装置のＤＥＣＴアイデンティティとの間の調整の必要性が存在する。
【０００３】
ＤＥＣＴシステムは、１以上のベースステーション又はアクセスポイント（ＡＰ）を使用するＤＥＣＴ  ＦＰ（Ｆｉｘｅｄ  Ｐａｒｔ）と、少なくとも１つのＤＥＣＴコードレスターミナル又はＰＰ（Ｐｏｒｔａｂｌｅ  Ｐａｒｔ）を有する。ＤＥＣＴは、許可されるコードレスターミナルとベースステーションの個数について実質的に限定されない。ＤＥＣＴラジオインタフェースは、ＴＤＭＡ（Ｔｉｍｅ  Ｄｉｖｉｓｉｏｎ  Ｍｕｌｔｉｐｌｅ  Ａｃｃｅｓｓ）、ＤＤＤ（Ｔｉｍｅ  Ｄｉｖｉｓｉｏｎ  Ｄｕｐｌｅｘ）及びマルチキャリアの１以上を使用し、ダイナミック・チャネル・セレクション・アンド・アロケーションを特徴とする。ダイナミック・チャネル・アロケーションは、ＤＥＣＴが固定的なチャネル割当機構と比較して、自らを環境状態の変化に適応させることを可能にする。
【０００４】
図１に示されるように、１０ｍｓのＴＭＤＡ  ＤＥＣＴフレーム１０５は、各々が１２スロットを有する２つのグループ１０７と１０８にさらに分割される２４のスロットを有する。最初の１２のスロットは、ベースステーション（又はＦＰ）によりポータブルへの順方向の送信に使用され、他方の１２のスロットは、ポータブルからベースステーションへの逆方向の送信に使用される。送信用の１つのスロットと受信用の１つのスロットは、「デュプレックスペア（ｄｕｐｌｅｘ  ｐａｉｒ）」と呼ばれる。１フレームは、２４スロット×４８０ビット＝１１，５２０ビット＝１０ｍｓ＠１，１５２，０００ｂ／ｓに等しい。拡大されたスロット１１０によって示されるように、各スロットは、同期化１１１のための３２ビットと、シグナリングのための６４ビットと（実際には、ＡフィールドのＣＲＣの１６ビットとデータのための４８ビット）、Ｂフィールド１１５の各８０ビットの４つのグループとを有し、各グループは、６４ビットデータブロックと、その後に続く１６ビットＣＲＣを有する。
【０００５】
しかしながら、ここで説明されるＷＭＴＳはＤＥＣＴとして同一のスロットサイズ（４８０ビット）を有するフレームを使用するが、フレーム毎のスロット数は６４である（ＤＥＣＴの２４スロットと比較して）。ＤＥＣＴがそれのインフラストラクチャのためにイーサネット（登録商標）を使用するＷＭＴＳについて使用されることを可能にするため、従来技術は、ラジオ識別子（ＤＥＣＴ  ＩＤなど）とイーサネット（登録商標）ネットワークアドレスとの間のマップを生成する方法を欠いている。
【発明の開示】
【発明が解決しようとする課題】
【０００６】
本発明は、ラジオ識別子とイーサネット（登録商標）アドレスの下位２０ビットの１：１のマッピングを使用することによって、２０ビットＤＥＣＴ  ＰＭＩＤとイーサネット（登録商標）ＭＡＣアドレスとの間のマッピングを提供する。各ポータブル部分は、製造時にそれに割り当てられた一意的なイーサネット（登録商標）アドレスの下位２０ビットからそれのＰＰ  ＩＤを計算し、各ＦＰは、ＡＰがスタートアップし、ＡＰコントローラにより登録すると、それのＦＰ  ＩＤを受け取る。本発明はまた、６４スロットを使用するフレームを提供することによって、ＷＭＴＳ装置と共に使用される拡張されたＤＥＣＴフレームを提供する。
【発明を実施するための最良の形態】
【０００７】
以下の記載は、説明のために与えられたものであり、図示及び記載されるアイテムに本発明を限定することを意図するものではない。当業者は、添付した請求項の範囲及び本発明の趣旨の範囲内に属する本発明について、各種改良が可能であるということを理解するであろう。
【０００８】
イーサネット（登録商標）は、ＭＡＣアドレス又はイーサネット（登録商標）アドレスとして一般に知られているそれ自体の一意的な装置アドレスを有し、それは、２つの装置が同一のイーサネット（登録商標）アドレスになることを保証するよう構成された。さらに、アドレスの一意性を保証するため、ユーザはアドレスを自己割り当てすることはできない。従って、イーサネット（登録商標）を用いた各コントローラは、工場でインストールされたアドレスが備えられる。イーサネット（登録商標）アドレスが枯渇する可能性を低下させるため、アドレス用に割り当てられるのは４８ビットである。本発明は、ＤＥＣＴ識別子などのラジオ識別子により１：１にマップされるようにするため、各ＰＰ（Ｐｏｒｔａｂｌｅ  Ｐａｒｔ）のイーサネット（登録商標）アドレスの下位２０ビットを使用する。
【０００９】
図２は、ＤＥＣＴソフトウェア２００の主要部を示す。ＤＥＣＴソフトウェアは、ボックス２５０によって特定されるＰＷＤコントローラ又はＡＰ（Ａｃｃｅｓｓ  Ｐｏｉｎｔ）と通信する。ＤＥＣＴソフトウェアは、デジタル信号プロセッサ２１３をロードするブートローダ２０５を有する。ＤＥＣＴソフトウェアはまた、ＰＰ又はＦＰ（Ｆｉｘｅｄ  Ｐａｒｔ）アプリケーション２１０と、ＰＰアプリケーションとＦＰアプリケーションとの間の接続を実現及び管理するＤＥＣＴスタック２１５を有する。ブートローダ２０５とＰＰ又はＦＰアプリケーションは共に、ＰＷＤ（Ｐａｔｉｅｎｔ  Ｗｅａｒａｂｌｅ  Ｄｅｖｉｃｅ）メインボード又はＡＰメインボード１５０と通信する。ＤＥＣＴスタック２１５は、ＤＳＰ（Ｄｉｇｉｔａｌ  Ｓｉｇｎａｌ  Ｐｒｏｃｅｓｓｏｒ）２１３と、各種無線装置に送信するのに使用されるラジオ２１７と通信するスロットコントローラを有する。
【００１０】
標準的なＤＥＣＴスタック２１５は、２０ビットがＰＰ  ＩＤに割り当てられ、１２ビットがＦＰ  ＩＤに割り当てられる、ＰＰとＦＰとの間の接続のための装置識別子用の３２ビットをサポートする。ＷＭＴＳ用の標準的なＤＥＣＴフレームを拡張することによって、ＷＭＴＳ装置がＤＥＣＴ規格を使用することが可能となる。
【００１１】
イーサネット（登録商標）は、イーサネット（登録商標）パケットのソース及びディスティネーションフィールドのＭＡＣ（Ｍｅｄｉｕｍ  Ａｃｃｅｓｓ  Ｃｏｎｔｒｏｌ）アドレスを利用することによって、パケットの送信を直接サポートする。ＤＥＣＴ  ＰＰ又はＦＰ  ＩＤをイーサネット（登録商標）ＭＡＣアドレスにマップするための処理は、データグラムを送信することを必要とする。ラジオモジュール２１７は、ＰＷＤ又はＡＰ２５０に割り当てられるＰＰとの無線通信を送信するのに使用される。
【００１２】
ＤＥＣＴ  ＩＤがイーサネット（登録商標）アドレスにマップされる１つの方法は、ラジオ識別子のＰＰアドレスの２０ビットをイーサネット（登録商標）アドレスの下位２０ビットに配置することによるものである。イーサネット（登録商標）アドレスの上記２８ビットは、ＷＭＴＳシステムにおける同意された値に設定することが可能である。
【００１３】
ＤＥＣＴアドレッシングスキームの１つの結果は、ＤＥＣＴスタックがＡＰの個数を４０９６に限定することである（１２ビットがＦＰ  ＩＤに割り当てられるとき）。ＡＰがスタートアップし、ＡＰＣ（Ａｃｃｅｓｓ  Ｐｏｉｎｔ  Ｃｏｎｔｒｏｌｌｅｒ）により登録されると、それらはＦＰ  ＩＤの一意的なセットを交渉する。ＰＰは、それの製造時からそれに割り当てられたイーサネット（登録商標）ＭＡＣアドレスの２０のボトムビットからそれのＰＰ  ＩＤを計算する。従って、ＰＰは効果的にイーサネット（登録商標）ＭＡＣアドレスを使用し、第２のアドレスセットが割り当てられることを要求しない。
【００１４】
本発明によるＤＥＣＴスタック２１５は、
（１）ＷＭＴＳが、より低いデータレートにより多数の装置をサポートするため、通常の２４スロットの代わりに、６４スロットの拡張されたＤＥＣＴフレームを使用するかもしれない。
（２）ＷＭＴＳシステムは、異なる個数のＲＦキャリアを使用し、これにより、ＰＳＣＮ（Ｐｒｉｍａｒｙ  Ｓｃａｎ  Ｃａｒｒｉｅｒ  Ｎｕｍｂｅｒ）シーケンスを使用してもよい。
（４）ＷＭＴＳは、合成されたシングル及びダブルスロットベアラをサポートするかもしれない。
によってＷＭＴＳと共に使用するため改良された。
【００１５】
図３は、本発明によるＷＭＴＳのための拡張されたＤＥＣＴフレームを示す。拡張されたＤＥＣＴフレームは、ＦＰがフレームのスロット０〜３１の間に送信可能であり、ＰＰがフレームのスロット３２〜６３の間に送信可能である６４スロット期間を有する。ＤＥＣＴスタックの図２に示されるスロットコントローラは、スロット及びラジオ接続を制御する。
【００１６】
添付された請求項の範囲及び本発明の趣旨の範囲内に属する現在請求されている発明について、様々な改良が可能である。当業者は、下位２０であることが好ましいが、ビット数が当該数より大きいか、又は小さい数とすることが可能であるということを理解する。もちろん、マッピングはこの差異を反映するであろう。
【図面の簡単な説明】
【００１７】
【図１】図１は、ＤＥＣＴにおいて使用されるような標準的な２４スロットフレームと、標準的なスロットを有する４８０ビットの拡大された図を示す。
【図２】図２は、本発明により改良されるようなＤＥＣＴソフトウェアモジュールの主要部を示す。
【図３】図３は、本発明による６４スロットフレームを用いたＷＭＴＳのための拡張されたＤＥＣＴフレームを示す。
【図１】
2007525124.tif 000003
【図２】
2007525124.tif 000004
【図３】
2007525124.tif 000005
【国際調査報告】
2007525124.tif 000006
2007525124.tif 000007
2007525124.tif 000008